(57)【要約】【課題】    貯留量や流出量の設定が容易で、既設の宅内集水配管経路に用いて、施工作業を容易に行うことが出来る住宅用雨水貯留システムを提供する。【解決手段】  宅地１４内の住宅１３の周囲に設けられて、住宅１３の屋根部１５へ降雨した雨水を、縦樋１９を介して個別雨水マス１６を連結する宅内集水経路１２に集水し、宅内集水経路１２から流下する雨水をマス流入口１７ｂから宅地内最終雨水マス１７内へ導くと共に、マス流出口１７ｃから、公共下水に排水する住宅用雨水貯留システムである。  宅地内最終雨水マス１７のマス流出口１７ｃと公共下水用雨水マス２１との間には、オーバーフロー流入口２７ｆの下縁２７ｇを宅内集水経路１２よりも上方位置に位置させることにより、宅地内最終雨水マス１７内及び宅内集水経路１２内に、雨水を一定量貯留可能なオーバーフロー部材２３が装着されている。【選択図】図１
2006169774.tif 000002
【特許請求の範囲】
【請求項１】
宅地内の建物の周囲に設けられて、建物の屋根部へ降雨した雨水を、縦樋を介して個別雨水マスを連結する宅内集水経路に集水し、該宅内集水経路から流下する雨水をマス流入口から宅地内最終雨水マス内へ導くと共に、該宅地内最終雨水マスのマス流出口から、公共下水に排水する住宅用雨水貯留システムであって、
前記宅地内最終雨水マスの前記マス流出口と公共下水との間には、オーバーフロー流入口の下縁を該宅内集水経路よりも上方位置に位置させることにより、該宅地内最終雨水マス内及び前記宅内集水経路内に、雨水を一定量貯留可能なオーバーフロー部材を装着することを特徴とする住宅用雨水貯留システム。
【請求項２】
前記オーバーフロー部材は、前記宅内集水経路の高さに適合させて形成したオリフィス部を有するオリフィス継手部材であることを特徴とする請求項１記載の住宅用雨水貯留システム。
【請求項３】
前記宅地内最終雨水マスが、前記宅内集水経路の高さに適合させて形成したオリフィス開口部を有するオリフィスマス部材であることを特徴とする請求項１又は２記載の住宅用雨水貯留システム。
【請求項４】
前記オーバーフロー部材が、既存のエルボ管部材又は三方チーズ管部材を用いて構成されていることを特徴とする請求項１乃至３のうち何れか一項記載の住宅用雨水貯留システム。
【発明の詳細な説明】
【技術分野】
【０００１】
この発明は、降雨時に、河川や下水道施設への負荷を低減させる住宅用雨水貯留システムに関するものである。
【背景技術】
【０００２】
従来、図１７に示すような住宅用雨水貯留装置が、知られている（例えば、特許文献１等参照）。
【０００３】
まず、構成から説明すると、この従来の住宅用雨水貯留装置では、建物１の屋根部２の軒先側３に設けられた軒樋４には、縦樋５が接続されている。
【０００４】
この縦樋５は、地中６に埋設された管体７に接続されている。
【０００５】
この管体７の外周面には、複数の細かい細孔８…が穿設されている。
【０００６】
また、この管体７の周囲には、網部材９ａで周囲を覆われて、略直方体形状を呈する筒体９が設けられている。
【０００７】
この筒体９には、前記管体７と前記網部材９ａとの間に、黒曜石パーライト１０…が、充填されている。
【０００８】
この黒曜石パーライト１０…は、前記細孔８…の内径及び網部材９ａの網目よりも大きな径を呈した中空球状を呈し、この筒体９を貯水体としている。
【０００９】
そして、前記管体７の先端には、この筒体９の上面位置よりも高い位置に開口するオーバーフロー管１１が接続されている。
【００１０】
次に、この従来の住宅用雨水貯留装置の作用について説明する。
【００１１】
このように構成された従来の住宅用雨水貯留装置では、前記建物１の屋根部２に降った雨水３は、軒樋４を介して、縦樋５に集められて、この縦樋５内を建物１の外壁部に沿って流下する。
【００１２】
前記縦樋５内を流下した雨水は、前記管体７の細孔８…から浸出して、筒体９内部に一時貯留される。
【００１３】
このため、一度に大量の雨が降っても、建物１が設けられている宅内に一時貯留されて、河川や下水道施設等の急激な増水を緩和することができる。
【００１４】
また、前記筒体９内に貯留しきれない雨水は、前記オーバーフロー管１１から排出される。
【特許文献１】特開昭６２−２０６１２９号公報（図１，図２）
【発明の開示】
【発明が解決しようとする課題】
【００１５】
しかしながら、このような従来の住宅用雨水貯留装置では、前記細孔８が、前記管体７の周囲に多数設けられていて、筒体９で雨水を一時貯留するように構成されているため、
雨水の貯留量や、流出量の設定を行うことは困難であった。
【００１６】
また、建物１の周囲に、既設の宅内集水配管経路が存在する場合には、全ての経路の集水装置に代えて、前記筒体９…等を埋設しなければならず、掘り返し等の交換施工作業が困難であるといった問題があった。
【００１７】
そこで、この発明は、貯留量や流出量の設定が容易で、既設の宅内集水配管経路に用いて、施工作業を容易に行うことが出来る住宅用雨水貯留システムを提供することを課題としている。
【課題を解決するための手段】
【００１８】
上記目的を達成するために、請求項１に記載された発明では、宅地内の建物の周囲に設けられて、建物の屋根部へ降雨した雨水を、縦樋を介して個別雨水マスを連結する宅内集水経路に集水し、該宅内集水経路から流下する雨水をマス流入口から宅地内最終マス内へ導くと共に、該宅地内最終雨水マスのマス流出口から、公共下水に排水する住宅用雨水貯留システムであって、前記宅地内最終雨水マスの前記マス流出口と公共下水との間には、オーバーフロー流入口の下縁を該宅内集水経路よりも上方位置に位置させることにより、該宅地内最終雨水マス内及び前記宅内集水経路内に、雨水を一定量貯留可能なオーバーフロー部材を装着する住宅用雨水貯留システムを特徴としている。
【００１９】
また、請求項２に記載されたものは、前記オーバーフロー部材は、前記宅内集水経路の高さに適合させて形成したオリフィス部を有するオリフィス継手部材である請求項１記載の住宅用雨水貯留システムを特徴としている。
【００２０】
更に、請求項３に記載されたものは、前記宅地内最終雨水マスが、前記宅内集水経路の高さに適合させて形成したオリフィス開口部を有するオリフィスマス部材である請求項１又は２記載の住宅用雨水貯留システムを特徴としている。
【００２１】
そして、請求項４に記載されたものは、前記オーバーフロー部材が、既存のエルボ管部材又は三方チーズ管部材を用いて構成されている請求項１乃至３のうち何れか一項記載の住宅用雨水貯留システムを特徴としている。
【発明の効果】
【００２２】
このように構成された本願発明の請求項１記載のものは、前記宅地内最終雨水マスと、公共下水との間に設けられた前記オーバーフロー部材のオーバーフロー流入口の下縁が、該宅内集水経路よりも上方位置に設けられている。
【００２３】
このため、前記宅地内最終雨水マス内及び前記宅内集水経路内に、雨水が一定量貯留されて、宅内に一時貯留された後、該オーバーフロー流入口の下縁を乗り越えた雨水が、流出することとなり、河川や下水道施設等の豪雨による急激な増水を緩和することができる。
【００２４】
また、前記オーバーフロー部材は、前記宅地内最終雨水マスの前記マス流出口と公共下水との間に装着されるので、既設の宅内集水配管経路に用いる場合にも、公共下水に流出する直前の１カ所で用いれば、貯留量や流出量の設定が容易に行える。
【００２５】
このため、従来の様に、全ての経路の地面を掘り返す必要が無く、施工作業性が良好である。
【００２６】
また、請求項２に記載されたものは、前記オリフィス継手部材に設けられた前記オリフ
ィス部から、徐々に、前記宅地内最終雨水マス内及び前記宅内集水経路内に一時貯留された雨水が排水される。
【００２７】
このため、宅地内最終雨水マスに、オリフィス部を形成する必要が無いので、既存のマスを用いて、安価に構成出来る。
【００２８】
更に、請求項３に記載されたものは、前記宅地内最終雨水マスに設けられた前記オリフィス開口部から、徐々に、前記宅地内最終雨水マス内及び前記宅内集水経路内に一時貯留された雨水が排水される。
【００２９】
このため、別途、オリフィス部を構成するための部品が不要となり、製造コストの増大が抑制される。
【００３０】
そして、請求項４に記載されたものは、前記オーバーフロー部材が、既存のエルボ管部材又は三方チーズ管部材を用いて構成されている。
【００３１】
このため、別途、オーバーフロー部材を構成するための部品が不要若しくは減少させることが可能となり、製造コストの増大が抑制される。
【発明を実施するための最良の形態】
【００３２】
次に、図面に基づいて、この発明を実施するための最良の実施の形態の住宅用雨水貯留システムを説明する。
【００３３】
なお、前記従来例と同一乃至均等な部分については同一符号を付して説明する。
【００３４】
図１乃至図１６は、この発明の実施の形態の住宅用雨水貯留システムを説明するものである。
【００３５】
まず、構成を説明すると、この発明の実施の形態では、図３に示すような建物としての住宅１３が、宅地１４内に設けられている。この住宅１３の周囲には、宅内集水経路１２の一部を構成する雨水用埋設配管としての塩ビ配管１８…等が、予め埋設されて設けられている。
【００３６】
また、この宅内集水経路１２には、宅地１４内に間隔を置いて埋設されて、前記住宅１３の屋根部１５へ降雨した雨水を、縦樋１９…を介して、各々集水する個別雨水マス１６…が、複数設けられている。
【００３７】
そして、一定の勾配が与えられて埋設された前記塩ビ配管１８…によって、これらの個別雨水マス１６，１６間及びこれらの個別雨水マス１６…と、宅地内最終雨水マスとしての宅地内最終雨水マス１７間とが接続されることにより、前記宅内集水経路１２から流下する雨水を、宅地内最終雨水マス１７に形成された前記塩ビ配管１８が、接続されるマス流入口１７ｂから、この宅地内最終雨水マス１７のマス本体１７ａ内に導くように構成されている。
【００３８】
更に、この宅地内最終雨水マス１７のマス流出口１７ｃには、道路２０に埋設される公共下水の一部としての公共下水用雨水マス２１の流入口２１ａと連結されるオーバーフロー部材２３が、接続されている。
【００３９】
そして、この公共下水用雨水マス２１は、排水管２４を介して、雨水本管２２と接続されていて、前記宅地内最終雨水マス１７から流下した雨水が、これらの公共下水用雨水マ
ス２１、排水管２４を介して、この雨水本管２２へ放流可能となるように構成されている。
【実施例１】
【００４０】
図１は、この発明の実施の形態の実施例１の住宅用雨水貯留システムの宅地内最終雨水マス１７と、公共下水用雨水マス２１との間に介在されるオーバーフロー部材２３を示すものである。
【００４１】
まず、構成から説明すると、この実施例１の宅地内最終雨水マス１７は、前記個別雨水マス１６と略同一形状を呈し、主にポリプロピレン製材料で構成されていて、有底略円筒形状で、しかも、上面に、蓋体２５を装着する開口部１７ｅが形成されたマス本体１７ａを有している。
【００４２】
このマス本体１７ａの側面部１７ｄには、マス流入口１７ｂが、少なくとも１つ形成されている。この実施例１では、２カ所に前記マス流入口１７ｂ，１７ｂが形成されている。
【００４３】
これらのマス流入口１７ｂには、前記宅内集水経路１２側の塩ビ配管１８の先端１８ａが、周縁に設けられたシールパッキン材２６を介して挿通されて、各々接続されている。
【００４４】
また、この側面部１７ｄには、前記マス流入口１７ｂと略同じ高さ方向位置に、マス流出口１７ｃが、形成されている。
【００４５】
このマス流出口１７ｃには、前記オーバーフロー部材２３の一部を構成する上流側継手材２７の流入側開口部２７ａが、周縁に設けられたシールパッキン材２６を介して挿通されて接続されている。
【００４６】
この上流側継手部材２７は、前記公共下水用雨水マス２１の流入口２１ａに、シールパッキン材２６を介して挿通されて接続される下流側継手部材２８と略同一形状を呈していて、図５に示すように、前記流入側開口部２７ａの中心軸２７ｂよりも、一定高さｈ１、高い位置に中心軸２７ｄを有する直管接続受口部２７ｃが、連結通路部２７ｅを介して、一体に連通するように形成されていて、側面視クランク形状を呈して構成されている。
【００４７】
この連結通路部２７ｅと、前記直管接続受口部２７ｃとの間には、オーバーフロー流入口２７ｆが形成されていて、下縁２７ｇを、前記宅内集水経路１２の各塩ビ配管１８…内の貯留空間部よりも上方位置に位置させることにより、前記宅地内最終雨水マス１７内及び前記宅内集水経路１２内の個別雨水マス１６…及び塩ビ配管１８…内に、雨水が一定量貯留可能となるように構成されている。
【００４８】
また、この実施例１では、前記流入側開口部２７ａの底面部２７ｈに沿って、細管受口部２７ｉが、この流入側開口部２７ａの反対で、前記直管接続受口部２７ｃの下方位置に、一体に形成されている。
【００４９】
この細管受口部２７ｉ内には、流入した雨水の直接の流出を抑制する隔壁部２７ｊが形成されると共に、この隔壁部２７ｊの一部には、前記宅内集水経路１２の高さに適合させて、内外を連通するように形成された小穴状のオリフィス部２７ｋが設けられていて、オリフィスが一体に設けられたオリフィス継手部材として、この上流側継手部材２７が機能するように構成されている。
【００５０】
また、この実施例１の流入側開口部２７ａには、図６に示されるような網目状のメッシ
ュ部２９ａを有する円板状のメッシュフィルタ部材２９が嵌着されていて、このメッシュ部２９ａによって、交雑物の前記オーバーフロー部材２３内への侵入が阻止されるように構成されている。
【００５１】
そして、これらの上，下流側継手部材２７，２８間には、図１に示すように、前記各直管接続受口部２７ｃ，２８ｃに各両端縁３０ａ，３０ａが各々挿入されて嵌着される塩ビ直管３０と、前記各細管受口部２７ｉ，２８ｉに各両端縁３１ａ，３１ａが各々挿入されて嵌着される塩ビ細管３１とが設けられて、前記宅地内最終雨水マス１７と、公共下水用雨水マス２１とが、前記オーバーフロー部材２３を介在させて、前記オーバーフロー流入口２７ｆの下縁２７ｇが、前記宅内集水経路１２よりも上方位置に位置させた状態となるように接続されている。
【００５２】
次に、この実施例１の住宅用雨水貯留システムの作用について説明する。
【００５３】
この実施例１の住宅用雨水貯留システムでは、降雨によって、前記住宅１３の屋根部１５に降った雨水３…が、軒樋４…及び縦樋１９…内を伝って、住宅１３の外壁部に沿って流下する。
【００５４】
前記縦樋１９内を流下した雨水は、前記個別雨水マス１６…に各々流入して、水位を上昇させる。
【００５５】
この際、これらの個別雨水マス１６…に接続された前記塩ビ配管１８…の高さに水位が到達すると、この塩ビ配管１８内でも、前記個別雨水マス１６…内に流入した雨水によって水位が上昇して、前記宅地内最終雨水マス１７方向に雨水が流下する。
【００５６】
前記宅地内最終雨水マス１７内では、これらの流入した雨水によって、雨水の貯留が開始される。
【００５７】
この際の宅地内最終雨水マス１７内の水位は、前記各個別雨水マス１６…の水位と略同じとなる。
【００５８】
このため、宅地１４内に一時貯留される雨水量は、前記宅地内最終雨水マス１７内の容量に、前記各個別雨水マス１６…内の容量及び各塩ビ配管１８…内の容量を合わせた合計容量となる。
【００５９】
そして、前記宅地内最終雨水マス１７と、公共下水用雨水マス２１との間に設けられた前記オーバーフロー部材２３のうち、前記上流側継手部材２７に形成されたオーバーフロー流入口２７ｆの下縁２７ｇが、これらの宅内集水経路１２よりも上方位置に設けられている。
【００６０】
従って、この宅地内最終雨水マス１７内の雨水の水位は、このオーバーフロー流入口２７ｆの下縁２７ｇに到達するまで、宅地内最終雨水マス１７内と、前記宅内集水経路１２内の各個別雨水マス１６…及び各塩ビ配管１８…との内部に、一定量貯留される。
【００６１】
そして、水位がこの下縁２７ｇに到達すると、雨水がこの下縁２７ｇを乗り越えて、前記塩ビ直管３０及び下流側継手部材２８内を通過して、前記公共下水用雨水マス２１内にに流下する。
【００６２】
従って、降雨開始から時間をおいて、前記公共下水用雨水マス２１，排水管２４を介して前記雨水本管２２へ、雨水が排水される。
【００６３】
このように、前記宅地内最終雨水マス１７内及び前記宅内集水経路１２内に、雨水が一定量貯留されて、宅内に一時貯留された後、前記オーバーフロー流入口２７ｆの下縁２７ｇを乗り越えた雨水が、流出することとなり、河川や下水道施設等の豪雨による急激な増水を緩和することができる。
【００６４】
また、前記オーバーフロー部材２３は、前記宅地内最終雨水マス１７の前記マス流出口１７ｃと公共下水用雨水マス２１の流入口２１ａとの間に容易に装着されるので、既設の宅内集水配管経路１２に用いる場合にも、公共下水に流出する直前である公共下水用雨水マス２１の手前の１カ所で用いれば、貯留量や流出量の設定が容易に行える。
【００６５】
このため、従来の様に、全ての経路の地面を掘り返す必要が無く、施工作業性が良好である。
【００６６】
更に、この実施例１では、雨水の排水により、再び、前記宅地内最終雨水マス１７に接続される上流側継手部材２７内の水位が、前記下縁２７ｇ位置まで、戻ると、この塩ビ直管３０内への雨水の流下は停止される。
【００６７】
そして、この上流側継手部材２７に一体に形成されたオリフィス２７ｋから、貯留された雨水が徐々に排水されるので、一定時間経過後は、前記宅地内最終雨水マス１７内と、前記塩ビ配管１８…及び各個別雨水マス１６…内とに貯留された雨水が、このオリフィス２７ｋが形成された高さ位置まで排水されて再度、雨水が流入する際の貯留量が確保される。
【００６８】
しかも、この実施例１の前記塩ビ直管３０及び塩ビ細管３１は、通常の塩ビ配管をそのまま利用できる。
【００６９】
このため、安価に前記オーバーフロー部材２３が、構成出来ると共に、宅地内最終雨水マス１７と前記公共下水用雨水マス２１との距離が、施工現場によって異なっていても、これらの前記塩ビ直管３０及び塩ビ細管３１の長さを切りそろえることにより対応させることが出来、更に施工作業性が良好である。
【００７０】
更に、この実施例１の上流側継手部材２７には、前記オリフィス部２７ｋが一体に形成されている。このため、前記宅地内最終雨水マス１７に、オリフィス部を形成したり、オリフィス部を別部材で構成する必要が無い。従って、前記宅地１４内に埋設される他の個別雨水マス１６…と同一の形状の雨水マスを使用する等、既存のマスを用いて、安価に構成出来る。
【００７１】
しかも、この実施例１では、前記上，下流側継手部材２７，２８が、同一形状に形成されているので、成形に用いる成形型を共通となるものを用いて構成出来、製造コストの増大を抑制できる。
【実施例２】
【００７２】
図７は、この発明の実施例２の住宅用雨水貯留システムを示すものである。なお、前記実施例１と同一乃至均等な部分については同一符号を付して説明する。
【００７３】
まず、構成から説明すると、この実施例２では、宅地内最終雨水マス１１７及び公共下水用雨水マス１２１が、塩化ビニル製材料で構成されていて、円筒形状を呈する入水側受口部１１７ａ，１２７ａ及び排水側受口部１１７ｂ，１２７ｂが、各々外側方に向けて一体に突設されている。
【００７４】
そして、これらの排水側受口部１１７ｂ及び入水側受口部１１７ａには、前記オーバーフロー部材２３を構成する上，下流側継手部材２７，２８の流入側開口部２７ａ，２７ａが各々内嵌されて接続されている。
【００７５】
そして、この上流側継手部材２７には、図７に示すように、前記連結通路部２７ｅと、前記直管接続受口部２７ｃとの間には、オーバーフロー流入口２７ｆが形成されていて、下縁２７ｇが、前記宅内集水経路１２の各塩ビ配管１８…内の貯留空間部よりも上方位置に位置されることにより、前記宅地内最終雨水マス１７内及び前記宅内集水経路１２内の個別雨水マス１６…及び塩ビ配管１８…内に、雨水が一定量貯留可能となるように構成されている。
【００７６】
次に、この実施例２の住宅用雨水貯留システムの作用について説明する。
【００７７】
この実施例２の住宅用雨水貯留システムでは、前記実施例１の作用効果に加えて、更に、前記宅地内最終雨水マス１１７の排水側受口部１１７ｂ及び公共下水用雨水マス１２１の入水側受口部１１７ａに各々前記オーバーフロー部材２３を構成する上，下流側継手部材２７，２８の流入側開口部２７ａ，２７ａが、内嵌されて接続されている。  
【００７８】
このため、実施例１で用いられている前記シールパッキン材２６を省略出来、更に、部品点数を減少させて、施工を簡略なものとすることができる。
【００７９】
他の構成、及び作用効果については、前記実施例１と略同様であるので、説明を省略する。
【実施例３】
【００８０】
図８及び図９は、この発明の実施例３の住宅用雨水貯留システムを示すものである。なお、前記実施例１，２と同一乃至均等な部分については同一符号を付して説明する。
【００８１】
まず、構成から説明すると、この実施例３では、前記宅地内最終雨水マス２１７のマス本体２１７ａが、主にポリプロピレン製材料で構成されていて、側面部２１７ｄには、前記塩ビ配管１８が接続される流入側開口部２１７ｂよりも高い位置に、塩ビ直管３０の端部３０ａが直接接続される直管接続開口部２１７ｃが、形成されている。
【００８２】
この直管接続開口部２１７ｃに接続される前記塩ビ直管３０の端部３０ａは、オーバーフロー流入口２２７ｆを構成していて、下縁２２７ｇを、前記宅内集水経路１２の各塩ビ配管１８…内の貯留空間部よりも上方位置に位置させることにより、前記宅地内最終雨水マス１７内及び前記宅内集水経路１２内の個別雨水マス１６…及び塩ビ配管１８…内に、雨水が一定量貯留可能となるように構成されている。
【００８３】
更に、この実施例３では、このマス本体２１７ａの側面部２１７ｄには、前記宅内集水経路１２の塩ビ配管１８の高さに適合させて形成したオリフィス開口部２２７ｋを有する細管受口部２２７ｉが一体に形成されている。
【００８４】
そして、これらの直管接続開口部２１７ｃに端縁３０ａが挿入されて嵌着される塩ビ直管３０と、前記細管受口部２２７ｉに端縁３１ａが挿入されて嵌着される塩ビ細管３１とによって、前記宅地内最終雨水マス１７と、公共下水用雨水マス２１との間に介在されて、これらの反対側端縁３０ａ，３１ａが接続される前記公共下水用雨水マス２１に、一時貯留された雨水を流下させる前記オーバーフロー部材２２３が構成されている。
【００８５】
次に、この実施例３の住宅用雨水貯留システムの作用について説明する。
【００８６】
このように構成された実施例３の住宅用雨水貯留システムでは、前記実施例１，２の作用効果に加えて、更に、前記宅地内最終雨水マス２１７に設けられた前記細管受口部２２７ｉ近傍のオリフィス開口部２２７ｋから、徐々に、前記宅地内最終雨水マス２１７内及び前記宅内集水経路１２内に一時貯留された雨水が排水される。
【００８７】
このため、別途、オリフィス部を構成するための部品が不要となり、製造コストの増大が抑制される。
【００８８】
なお、図９中二点鎖線で示すように、前記オリフィス開口部２２７ｋを有する細管受口部２２７ｉを、マス本体２１７ａの底面部近傍に形成してもよい。
【００８９】
この場合、前記マス本体２１７ａの底面部近傍まで、雨水が、このオリフィス開口部２２７ｋから排水された後の水位を低下させることが出来る。
【００９０】
他の構成、及び作用効果については、前記実施例１と略同様であるので、説明を省略する。
【実施例４】
【００９１】
図１０及び図１１は、この発明の実施例４の住宅用雨水貯留システムを示すものである。なお、前記実施例３と同一乃至均等な部分については同一符号を付して説明する。
【００９２】
まず、構成から説明すると、この実施例４では、前記宅地内最終雨水マス３１７のマス本体３１７ａが、主に塩化ビニル製材料で構成されていて、側面部３１７ｄには、前記塩ビ配管１８が接続される流入側受口部３１７ｂよりも高い位置に、塩ビ直管３０の端部３０ａが直接接続される直管接続受口部３１７ｃが、形成されている。
【００９３】
この直管接続受口部３１７ｃに接続される前記塩ビ直管３０の端部３０ａは、オーバーフロー流入口３２７ｆに臨んでいて、下縁３２７ｇを、前記宅内集水経路１２の各塩ビ配管１８…内の貯留空間部よりも上方位置に位置させることにより、前記宅地内最終雨水マス１７内及び前記宅内集水経路１２内の個別雨水マス１６…及び塩ビ配管１８…内に、雨水が一定量貯留可能となるように構成されている。
【００９４】
更に、この実施例４では、このマス本体３１７ａの側面部３１７ｄには、前記宅内集水経路１２の塩ビ配管１８の高さに適合させて形成されたオリフィス開口部３２７ｋを有する細管受口部３２７ｉが一体に形成されている。
【００９５】
そして、これらの直管接続開口部３１７ｃに端縁３０ａが挿入されて嵌着される塩ビ直管３０と、前記細管受口部３２７ｉに端縁３１ａが挿入されて嵌着される塩ビ細管３１とによって、前記宅地内最終雨水マス１７と、公共下水用雨水マス２１との間に介在されて、これらの反対側端縁３０ａ，３１ａが接続される前記公共下水用雨水マス２１に、一時貯留された雨水を流下させる前記オーバーフロー部材３２３が構成されている。
【００９６】
他の構成、及び作用効果については、前記実施例１乃至３と略同様であるので、説明を省略する。
【実施例５】
【００９７】
図１２は、この発明の実施例５の住宅用雨水貯留システムを示すものである。なお、前記実施例３と同一乃至均等な部分については同一符号を付して説明する。
【００９８】
まず、構成から説明すると、この実施例５では、宅地内最終雨水マス４１７のマス本体４１７ａが、主にポリプロピレン製材料で構成されていて、上部側面部４１７ｂには、前記塩ビ配管１８が接続される流入側開口部４１７ｂよりも高い位置に、塩ビ直管３０の端部３０ａが直接接続される直管接続開口部４１７ｃが、形成されている。
【００９９】
また、この塩ビ直管３０の反対側の端部３０ａは、前記公共下水用雨水マス４２１の上部側面部４２１ｂに直接接続されている。
【０１００】
次に、この実施例５の住宅用雨水貯留システムの作用について説明する。
【０１０１】
この実施例５の住宅用雨水貯留システムでは、前記実施例３のオーバーフロー流入口２２７ｆよりも、更に高い位置に、オーバーフロー流入口４２７ｆの下縁４２７ｇを設定出来る。
【０１０２】
このため、前記宅地内最終雨水マス４１７又は個別雨水マス１６…内の雨水の貯留量を更に、増大させることが出来る。
【０１０３】
他の構成、及び作用効果については、前記実施例３と略同様であるので、説明を省略する。
【実施例６】
【０１０４】
図１３及び図１４は、この発明の実施例６の住宅用雨水貯留システムを示すものである。なお、前記実施例１乃至５と同一乃至均等な部分については同一符号を付して説明する。
【０１０５】
まず、構成から説明すると、この実施例６の住宅用雨水貯留システムでは、オーバーフロー部材６２３が、ポリプロピレン製の宅地内最終雨水マス６１７のマス本体６１７ａから延設される直管６１７ｂと、公共下水用雨水マス６２１のマス本体６２１ａから延設される直管６２１ｂとの間に、介在されて接続される左右一対の三方チーズ管６２４，６２４、エルボ管６２５，６２５、及びこれらのエルボ管６２５，６２５管を連結する塩ビ直管６２６とを有して主に構成されている。
【０１０６】
このうち、前記三方チーズ管６２４，６２４の対向側端縁開口部６２４ａ，６２４ａには、前記オリフィス開口部６２７ｋを有する細管受口部６２７ｉが一体に形成された閉塞部材６２７，６２７が各々嵌着されている。
【０１０７】
そして、これらの細管受口部６２７ｉ，６２７ｉには、塩ビ細管３１の両端部３１ａ，３１ａが各々嵌着されて接続されている。
【０１０８】
次に、この実施例６の住宅用雨水貯留システムの作用について説明する。
【０１０９】
この実施例６の住宅用雨水貯留システムでは、前記一対のエルボ管６２５，６２５のうち、上流のエルボ管６２５内の湾曲した流通路が、前記塩ビ直管６２６の上流側端縁と接続されている部分が、オーバーフロー流入口となり、この接続部分近傍の流通路下縁を乗り越えた雨水が、前記公共下水用雨水マス６２１方向へ流出される。
【０１１０】
このため、水位が、この接続部分近傍の流通路下縁に到達するまで、前記宅地内最終雨水マス６１７内と、前記宅内集水経路１２内の各個別雨水マス１６…及び各塩ビ配管１８…内とに、雨水が一定量貯留され、河川や下水道施設等の豪雨による急激な増水を緩和す
ることができる。
【０１１１】
また、前記閉塞部材６２７に形成されたオリフィス開口部６２７ｋから、貯留された雨水が徐々に排水されるので、一定時間経過後は、前記宅地内最終雨水マス６１７内と、前記塩ビ配管１８…及び各個別雨水マス１６…内に貯留された雨水が、このオリフィス開口部６２７ｋが形成された高さ位置まで排水されて再度、雨水が流入する際の貯留量が確保される。
【０１１２】
この実施例６では、前記三方チーズ管６２４の一端側開口部に嵌着される正面視円形の閉塞部材６２７の下縁近傍に、図１４に示すように、前記オリフィス開口部６２７ｋが形成されているので、前記マス本体６１７ａから延設される直管６１７ｂの内部の雨水を略全量前記オリフィス開口部６２７ｋから排水させることができる。
【０１１３】
そして、前記オーバーフロー部材６２３が、既存の前記左右一対の三方チーズ管６２４，６２４、エルボ管６２５，６２５、及びこれらのエルボ管６２５，６２５管を連結する塩ビ直管６２６とから主に構成されている。
【０１１４】
このため、別途、オーバーフロー部材を構成するための部品は、前記閉塞部材６２７，６２７のみで良く、特殊な部品の増大を抑制させることが可能となり、製造コストの増大が抑制される。
【０１１５】
他の構成、及び作用効果については、前記実施例１乃至５と略同様であるので、説明を省略する。
【実施例７】
【０１１６】
図１５は、この発明の実施例７の住宅用雨水貯留システムを示すものである。なお、前記実施例１乃至６と同一乃至均等な部分については同一符号を付して説明する。
【０１１７】
まず、構成から説明すると、この実施例７の住宅用雨水貯留システムでは、オーバーフロー部材７２３が、前記実施例２と略同様に形成された塩化ビニル製の宅地内最終雨水マス１１７から各々外側方に向けて一体に突設されている円筒形状を呈する入水側受口部１１７ａ，１２７ａ及び排水側受口部１１７ｂ，１２７ｂのうち、対向する排水側受口部１１７ｂ及び入水側受口部１２７ａ間に介在されて接続される短尺塩ビ直管７１７ｂ，７１７ｂと、左右一対の三方チーズ管６２４，６２４、エルボ管６２５，６２５、及びこれらのエルボ管６２５，６２５管を連結する塩ビ直管６２６とを有して主に構成されている。
【０１１８】
このうち、前記三方チーズ管６２４，６２４の対向側端縁開口部６２４ａ，６２４ａには、前記オリフィス開口部６２７ｋを有する細管受口部６２７ｉが一体に形成された閉塞部材６２７，６２７が各々嵌着されている。
【０１１９】
そして、これらの細管受口部６２７ｉ，６２７ｉには、塩ビ細管３１の両端部３１ａ，３１ａが各々嵌着されて接続されている。
【０１２０】
他の構成、及び作用効果については、前記実施例１乃至６と略同様であるので、説明を省略する。
【実施例８】
【０１２１】
図１６は、この発明の実施例８の住宅用雨水貯留システムを示すものである。なお、前記実施例１乃至７と同一乃至均等な部分については同一符号を付して説明する。
【０１２２】
まず、構成から説明すると、この実施例８の住宅用雨水貯留システムでは、前記実施例２と略同様に形成された塩化ビニル製の宅地内最終雨水マス８１７から各々外側方に向けて一体に突設されている円筒形状を呈する入水側受口部１１７ａ，１２７ａ及び排水側受口部１１７ｂ，１２７ｂのうち、対向する排水側受口部１１７ｂ及び入水側受口部１２７ａに各々図示省略の前記オリフィス開口部６２７ｋを有する細管受口部６２７ｉが一体に形成された閉塞部材６２７，６２７が各々嵌着されている。
【０１２３】
そして、これらの細管受口部６２７ｉ，６２７ｉには、塩ビ細管３１の両端部３１ａ，３１ａが各々嵌着されて接続されている。
【０１２４】
また、この実施例８では、オーバーフロー部材８２３を構成する塩ビ直管３０の両端縁部３０ｂ，３０ｂが、直接、前記宅地内最終雨水マス８１７の上部側面部８１７ｂ及び公共下水用雨水マス８２１の上部側面部８２１ｂに、接続されて固着されている。
【０１２５】
次に、この実施例８の住宅用雨水貯留システムの作用効果について説明する。
【０１２６】
この実施例８の住宅用雨水貯留システムでは、前記実施例６，７の作用効果に加えて、更に、オーバーフロー部材８２３を構成する部品を、直接、前記宅地内最終雨水マス８１７の上部側面部８１７ｂ及び公共下水用雨水マス８２１の上部側面部８２１ｂに接続される塩ビ直管３０と、前記閉塞部材６２７，６２７及びこれらを接続する塩ビ細管３１としている。
【０１２７】
このため、更に、部品点数の増大が抑制されて、製造コストを減少させることができる。
【０１２８】
他の構成、及び作用効果については、前記実施例１乃至７と略同様であるので、説明を省略する。
【０１２９】
以上、図面を参照して、本発明の実施の形態及び実施例１乃至８を詳述してきたが、具体的な構成は、この実施の形態に限らず、本発明の要旨を逸脱しない程度の設計的変更は、本発明に含まれる。
【０１３０】
即ち、前記実施の形態では、オーバーフロー部材として、上流側継手部材２７等を用いたものを示して説明してきたが、特にこれに限らず、例えば、エルボ管等の一つの屈曲側面に、オリフィスを穿設形成する等、どのような継手形状部材や管材等を用いたもの等であってもよく、宅地内最終雨水マス１７と公共下水用雨水マス２１との間に設けられて、オーバーフロー流入口の下縁が、前記宅内集水経路１２よりも上方位置に設けられているものであるならば、どのような形状、数量及び材質であってもよい。  
【０１３１】
更に、前記宅地内最終雨水マスとしての宅地内最終雨水マス１７，１１７等を用いて説明してきたが、特にこれに限らず、例えば、雨水マスではない集水マスや、細孔が形成された浸透マス部を有する集水マス等、宅地内最終雨水マスであれば、形状、流入口１７ｂ等の受口部の数量が特に限定されるものではないと共に、ポリプロピレン製又は塩ビ製に限らず、他の合成樹脂製材料及びそれらの混合物等、どのような材質で構成されていても良い。
【図面の簡単な説明】
【０１３２】
【図１】この発明の実施の形態の実施例１の住宅用雨水貯留システムで、要部の構成を説明する宅地内最終雨水マスの地中埋設部分の一部を切り欠いた縦断面図である。
【図２】実施例１の住宅用雨水貯留システムで、全体の構成を説明する宅地内建物周縁の地中内の断面図である。
【図３】実施例１の住宅用雨水貯留システムで、全体の構成を説明する宅地内建物周縁の模式的な一部断面斜視図である。
【図４】実施例１の住宅用雨水貯留システムで、建物周縁の模式的な平面図である。
【図５】実施例１の住宅用雨水貯留システムに用いられる上，下流側継手部材の構成を説明する縦断面図である。
【図６】実施例１の住宅用雨水貯留システムで、上流側継手部材に用いられるメッシュフィルタ部材の正面図である。
【図７】実施例２の住宅用雨水貯留システムで、要部の構成を説明する宅地内最終雨水マスの地中埋設部分の一部を切り欠いた縦断面図である。
【図８】実施例３の住宅用雨水貯留システムで、要部の構成を説明する宅地内最終雨水マスの地中埋設部分の側面図である。
【図９】実施例３の住宅用雨水貯留システムで、要部の構成を説明する宅地内最終雨水マスの縦断面図である。
【図１０】実施例４の住宅用雨水貯留システムで、要部の構成を説明する宅地内最終雨水マスの地中埋設部分の側面図である。
【図１１】実施例４の住宅用雨水貯留システムで、要部の構成を説明する宅地内最終雨水マスの縦断面図である。
【図１２】実施例５の住宅用雨水貯留システムで、要部の構成を説明する宅地内最終雨水マスの地中埋設部分の側面図である。
【図１３】実施例６の住宅用雨水貯留システムで、要部の構成を説明する宅地内最終雨水マスの地中埋設部分の側面図である。
【図１４】実施例６の住宅用雨水貯留システムで、閉塞部材の縦断面図である。
【図１５】実施例７の住宅用雨水貯留システムで、要部の構成を説明する宅地内最終雨水マスの地中埋設部分の側面図である。
【図１６】実施例８の住宅用雨水貯留システムで、要部の構成を説明する宅地内最終雨水マスの地中埋設部分の側面図である。
【図１７】従来例の住宅用雨水貯留装置で、建物と地中内との構成を説明する模式的な一部断面図で、（ａ）は、縦断面図、（ｂ）は、延設方向に沿った位置での断面図である。
【符号の説明】
【０１３３】
１３          住宅（建物）
１４          宅地
１５          屋根部
１２    宅内集水経路
１６          個別雨水マス
１８          塩ビ配管
１７，１１７，２１７，３１７，４１７，６１７，７１７
宅地内最終雨水マス（宅地内最終雨水マス）
１７ｃ        マス流出口
２１          公共用雨水マス（公共下水）
２７          上流側継手部材
２７ｆ        オーバーフロー流入口
２７ｇ        下縁
２３，２２３，３２３，６２３，７２３，８２３
オーバーフロー部材
【図１】
2006169774.tif 000003
【図２】
2006169774.tif 000004
【図３】
2006169774.tif 000005
【図４】
2006169774.tif 000006
【図５】
2006169774.tif 000007
【図６】
2006169774.tif 000008
【図７】
2006169774.tif 000009
【図８】
2006169774.tif 000010
【図９】
2006169774.tif 000011
【図１０】
2006169774.tif 000012
【図１１】
2006169774.tif 000013
【図１２】
2006169774.tif 000014
【図１３】
2006169774.tif 000015
【図１４】
2006169774.tif 000016
【図１５】
2006169774.tif 000017
【図１６】
2006169774.tif 000018
【図１７】
2006169774.tif 000019